(57)【要約】【課題】  米などの粒状食品を収納した包装体を積み重ねた場合でも空気の排出が容易に行え、かつ、水や埃、虫などの侵入を防止することが可能で、簡易な工程で製造が可能な通気性包装袋を提供すること。【解決手段】  三方シール袋のヒートシール部の底辺隅部の少なくとも一方に、通路を介して包装体内部と連通した空気溜まりを設け、該空気溜まりのフィルムの表面或いは裏面の少なくともいずれか一方の面に通気孔を設ける。また、空気溜まりと包装体外部を連通する通路を設けることにより、空気の排出がより一層、良好になる。【選択図】  図１
2005335738.tif 000002
【特許請求の範囲】
【請求項１】
熱可塑性プラスチックフィルムからなる三方シール袋において、ヒートシール部２の底辺隅部３の少なくとも一方に、通路Ａを介して包装袋内部と連通した非ヒートシール部からなる空気溜まり４が設けられており、かつ、通路Ａの幅が、空気溜まり４の短径よりも狭く設けられており、空気溜まり４の表面或いは裏面の少なくともいずれか一方の面に通気孔５が設けられていることを特徴とする通気性包装袋１。
【請求項２】
空気溜まり４が、通路Ｂを介して包装袋外部と連通していることを特徴とする請求項１に記載の通気性包装袋１。
【請求項３】
熱可塑性プラスチックフィルム２が少なくとも基材層と熱融着層を有する積層フィルムであることを特徴とする請求項１または２に記載の通気性包装袋１。
【発明の詳細な説明】
【技術分野】
【０００１】
本発明は、米などの粒状食品を収納する際に、内部に封入された空気を容易に排出でき、粒状食品が収納された包装体を安定して積み重ねることが可能な通気性包装袋に関する。
【背景技術】
【０００２】
従来、米などの粒状食品はプラスチックフィルムやアルミ箔とプラスチックフィルムを積層したフィルムからなる包装袋に収納されているが、その際、包装袋内部に空気も同時に封入されていた。そして貯蔵や保管、輸送時などに米などを収納した包装体を積み上げた際に、米などと一緒に袋内部に封入された空気が圧縮されて袋内部の圧力が高くなり包装袋の破袋やヒートシール部の破壊原因となっていた。さらに、袋内部に空気が封入されているために、包装体を積み重ねた際に安定せず荷崩れの原因にもなっていた。
そこで、袋内部の空気を排出するために、包装袋のフィルム表面に小孔を設けるなどしていた。ところが、フィルム表面に小孔を設けることで袋内部の空気を排出することは可能となったが、包装袋のフィルム表面に設けた小孔から、水や埃、虫などが侵入し収納された米などの食品を汚染するという問題があった。
【０００３】
そこで、包装袋のヒートシール部に外部と連通した非融着部を設け、空気を排出することが可能な通気袋が各種提案されている（特許文献１〜３）。しかしながら、米などを収納した包装袋を積み重ねるとヒートシール部が折れ曲がって非融着部が閉塞し空気が十分に排出されないという問題があり、空気の排出を良くするためには非融着部を大きく設ける必要があるが、非融着部が大きくなると水や埃、虫などの侵入を防止することは困難であった。
【０００４】
また、特許文献４には、三方シール袋の対向する２辺に熱接着部と非熱接着部とからなる断続熱接着部が形成された通気性袋において、断続熱接着部の２枚の積層フィルムの間に、不織布が１枚或いは２枚、また二つ折りされたものが挿入されて熱接着部が形成された構成からなることを特徴とする通気性袋が提案されている。断続熱接着部に不織布を挿入することで非熱接着部を大きく設けることができるので、通気性と埃や虫などの侵入防止効果を両立することが可能となったが、包装袋製造の工程が複雑であり、不織布は該包装袋に使用される積層フィルムと比較すると高価なため包装袋の価格が高くなるという問題があった。
【特許文献１】実願昭５６−１５９９１６号のマイクロフィルム（実開昭５８−６５２４１号）
【特許文献２】実願昭５８−４００９８号のマイクロフィルム（実開昭５９−１４３９３６号）
【特許文献３】特開平８−２６３００号公報
【特許文献４】特開２００１−３１５８０２号公報
【発明の開示】
【発明が解決しようとする課題】
【０００５】
本発明は、上記問題を鑑みなされたもので、米などの粒状食品を収納した包装体を積み重ねた場合でも空気の排出が容易に行え、かつ、水や埃、虫などの侵入を防止することが可能で、簡易な工程で製造が可能な通気性包装袋を提供することを課題とする。
【課題を解決するための手段】
【０００６】
本発明者らは鋭意検討を行った結果、三方シール袋のヒートシール部の底辺隅部の少なくとも一方に、包装袋内部と連通した空気溜まりを設け、該空気溜まりのフィルムの表面或いは裏面のいずれか一方の面に通気孔を設けることにより上記課題を解決した通気性包装袋が得られることを見出し、本発明に至った。
【０００７】
即ち、本発明によれば、
（１）熱可塑性プラスチックフィルムからなる三方シール袋において、ヒートシール部２の底辺隅部３の少なくとも一方に、通路Ａを介して包装袋内部と連通した非ヒートシール部からなる空気溜まり４が設けられており、かつ、通路Ａの幅が、空気溜まり４の短径よりも狭く設けられており、空気溜まり４の表面或いは裏面の少なくともいずれか一方の面に通気孔５が設けられていることを特徴とする通気性包装袋１が提供され、
（２）空気溜まり４が、通路Ｂを介して包装袋外部と連通していることを特徴とする（１）に記載の通気性包装袋１が提供され、
（３）熱可塑性プラスチックフィルム２が少なくとも基材層と熱融着層を有する積層フィルムであることを特徴とする（１）または（２）に記載の通気性包装袋１が提供される。
【発明の効果】
【０００８】
本発明の通気性包装袋１は、ヒートシール部２の底辺隅部３の少なくとも一方に通路Ａを介して包装袋内部と連通した空気溜まり４が形成され、かつ、該空気溜まり４の表面或いは裏面のいずれか一方の面に通気孔５が設けられているので、米などを収納した包装体を積み重ねた際に空気の排出が容易に行え、破袋や包装体を積み重ねた際に不安定となり荷崩れを起こすことがない。また、空気溜まり４と包装体外部を連通する通路Ｂを設けることにより、空気の排出がより一層、良好になる。
さらに、空気排出後には、水や埃、虫などの侵入を防止することが可能となる。さらにまた、本発明の通気性包装体１は簡易な工程で製造が可能である。
【発明を実施するための最良の形態】
【０００９】
本発明に使用される熱可塑性プラスチックフィルムは特に限定されないが、ポリエチレンやポリプロピレン、エチレン−酢酸ビニル共重合体、ポリアミド、ポリエステル、エチレン−ビニルアルコール共重合体などの熱可塑性プラスチックを単独或いは複数混合して使用して、インフレーション法やＴダイ法、カレンダー法など従来公知の方法で成形した単層或いは多層フィルムを使用することができる。
なお、本発明の通気性包装袋１には、米などの比較的重量のある物品が収納されるため、破袋しないフィルム強度とヒートシール強度が必要であることは言うまでもない。
【００１０】
また、本発明に使用される熱可塑性プラスチックフィルムとしては、基材層と熱融着層からなる積層フィルムがより好ましい。具体的には、基材層と熱融着層を接着剤などで積層した、いわゆるラミネートフィルムが好適に利用される。基材層としてはポリプロピレンやポリエチレンテレフタレート、ナイロン（ポリアミド）などを延伸加工して得られる延伸フィルムが、熱融着層としては低密度ポリエチレンや直鎖状低密度ポリエチレン、エチレン−酢酸ビニル共重合体などのヒートシール性が良好なフィルムが好適に利用される。なお、本発明においては、基材層と熱融着層を各一層ずつ積層した二層フィルムでも良いし、基材層と熱融着層から構成されていれば三層以上の積層フィルムでもかまわない。
本発明の通気性包装袋１として基材層と熱融着層からなる積層フィルムを使用することにより、１０〜２０ｋｇ程度の米などを収納した際に必要なフィルム強度とヒートシール強度を兼ね備えた通気性包装袋１を得ることが可能となり、包装体を積み重ねた際にフィルムの破袋やヒートシール部２の破壊を防止できる。
【００１１】
本発明の通気性包装袋１は、上記のような熱可塑性プラスチックフィルムからなる三方シール袋のヒートシール部２の底辺隅部３の少なくとも一方に、非ヒートシール部からなる空気溜まり４が設けられている。空気溜まり４の形状は特に限定されないが、概ね円形状或いは矩形状に設けられることが好ましい。さらに、空気溜まり４は通路Ａを介して包装袋内部と連通している。
空気溜まり４及び通路Ａをヒートシール部２の底辺隅部３に設けているので、ヒートシール部２の底辺隅部３が包装袋内に米などが収納されると円錐状に広がって、ヒートシールされていない部分が折れ曲がったりして閉塞することなく空気の排出が良好に行える。
【００１２】
また、空気溜まり４の表面或いは裏面の少なくともいずれか一方の面には通気孔５が設けられている。通気孔５は針穴のようなピンホールでもかまわないが、直径１〜２ｍｍ程度のパンチ穴とすることがより好ましい。１〜２ｍｍのパンチ穴を設けることにより空気の排出性がより良好になり、かつ、水や埃、虫などの進入を防止することが可能である。
また、通気孔５の個数は特に限定されず、空気溜まり４の大きさに応じて例えば５〜６個程度設ければ良い。通気孔５の個数が多いほど、包装体に封入された空気の排出性が良好になることは言うまでもない。
【００１３】
通路Ａの幅は、空気溜まり４の短径よりも狭く、米粒などが空気溜まり４に進入しない程度の幅で設けられている。例えば通路Ａの幅は、５ｍｍ程度に設定されることが好ましい。米粒の短径は２〜３ｍｍ程度なので通路Ａの幅を５ｍｍ程度にすることにより、米粒が通路Ａを通過して空気溜まり４に侵入することがない。通路Ａの幅が５ｍｍよりも大きいと、米粒などが空気溜まり４に進入することになるので好ましくない。一方、通路Ａの幅が１〜２ｍｍ程度では、通路Ａを通過する空気の量が少なく、包装体内部の空気の排出に時間がかかるので好ましくない。
【００１４】
さらに、包装袋外部への空気の排出性を良好にするために、空気溜まり４が通路Ｂを介して包装袋外部と連通していることが好ましい。図２に示したように空気溜まり４からヒートシール部２の底辺隅部３の包装袋外側に向かって、空気溜まり４と包装袋外部が連通するように通路Ｂが設けられていると、包装袋内部から排出された空気は、通気孔５だけでなく通路Bも経由して袋外部に排出されるので、通路Ｂが設けられていない場合よりも空気の排出性がより良好になる。
通路Ｂの幅も特に限定されないが、５ｍｍ程度であることが好ましい。５ｍｍよりも狭いと空気の排出性が劣り、５ｍｍよりも広いと埃や虫などの異物が侵入し易くなるので好ましくない。
【００１５】
以下に、本発明実施例を示し、本発明の内容を具体的に説明する。尚、本発明は実施例に記載された内容によってのみ制限されるものではないことは当然である。
【実施例】
【００１６】
本発明の一例を図１及び３に示す。
熱可塑性プラスチックフィルムとして、基材層として二軸延伸ポリプロピレンフィルム、熱執着層として直鎖状低密度ポリエチレンフィルムをドライラミネーション法で積層した厚み７０μｍのラミネートフィルムを用いた。
直鎖状ポリエチレンフィルム層が互いに内側になるようにして上記ラミネートフィルムを２枚重ね合わせ、図１に示すように、シートシールされていない空気溜まり４及び幅５ｍｍの通路Ａが左右２箇所の底辺隅部３に形成されるよう１５ｍｍ幅の底シール６を形成すると共に、１０ｍｍ幅のサイドシール７を形成して、幅３００ｍｍ×縦５７０ｍｍの通気性包装袋１を得た。また、空気溜まり４の裏面のフィルムには、通気孔５として直径２ｍｍのパンチ孔が６個設けられている。
なお、図３（Ａ）は底シール６の形成に使用されるシールバーの正面概略図、図３（Ｂ）は底辺隅部３に相当する箇所（図３（Ａ）の左端部）の拡大図である。
底シール６とサイドシール７が交差する箇所、すなわち底辺隅部３に空気溜まり４及び通路Ａがヒートシールされないで形成されるように、非シール部に相当する箇所が凹状に加工されている。なお、図中の白抜きの部分がヒートシールされない凹状の部分を表し、図の上方が通気性包装袋１の開口部の方向に相当する。
【００１７】
こうして得られた通気性包装袋１に１５ｋｇの白米を収納し、開口部を１０ｍｍ幅の直線状にヒートシールを行い密封した。包装体内部には空気も封入されているが、空気孔５のパンチ孔が下向きになるように１０段積みにしたところ、包装体内部の空気は良好に排出され、積み重ねられた状態も安定していた。
【産業上の利用可能性】
【００１８】
本発明の通気性包装袋１は、三方シール袋の底辺隅部３に空気の排出経路となる通路及び空気溜まり４、通気孔５が設けられており、米などの粒状食品を収納する際に封入された空気が容易に排出されるので、包装体を積み重ねた際に破袋したり、積み重ねた状態が不安定になり荷崩れを起こすことがない。
また、従来の三方シール袋は、開口部以外の三辺を直線状のシールバーでヒートシールをして形成しているが、本発明の通気性包装袋１を得るには、底シール６を形成するためのシールバーを、例えば図３の（Ａ）及び（Ｂ）に示した形状のものに交換するだけで、従来の製袋機を利用して安価に製造することが可能である。
【図面の簡単な説明】
【００１９】
【図１】本発明の通気性包装袋１の一例を示す正面概略図である。
【図２】本発明の通気性包装袋１の別の一例を示す正面概略図である。
【図３】通気性包装袋の製造に用いる底シールバーの正面概略図（Ａ）及び底辺隅部３に相当する箇所（（Ａ）の左端部）の拡大図（Ｂ）である。
【符号の説明】
【００２０】
１      通気性包装袋
２      ヒートシール部
４      空気溜まり
５      通気孔
６      サイドシール
７      底シール
Ａ      通路Ａ
Ｂ      通路Ｂ
【図１】
2005335738.tif 000003
【図２】
2005335738.tif 000004
【図３】
2005335738.tif 000005